(57)【要約】  一次可視充満度インジケータと二次可視湿潤度インジケータとを有する吸収性物品。
2012513843.tif 000002
【特許請求の範囲】
【請求項１】
物品が一次可視充満度インジケータと二次可視湿潤度インジケータとを含むことを特徴とする、使い捨て着用可能吸収性物品。
【請求項２】
前記二次可視湿潤度インジケータが、前記一次可視充満度インジケータに近接して配置される、請求項１に記載の使い捨て着用可能吸収性物品。
【請求項３】
前記二次可視湿潤度インジケータが、前記一次可視充満度インジケータの外側末端部に近接して配置される、請求項１に記載の使い捨て着用可能吸収性物品。
【請求項４】
前記二次可視湿潤度インジケータの少なくとも一部分が、前記一次可視充満度インジケータの外側末端部より外側に配置される、請求項１に記載の使い捨て着用可能吸収性物品。
【請求項５】
前記物品が、外側末端部を有する獲得層を含み、
前記二次可視湿潤度インジケータの一部分が、前記獲得層の前記外側末端部に対して内側に配置され、
前記二次可視湿潤度インジケータの一部分が、前記獲得層の前記外側末端部より外側に配置される、請求項１に記載の使い捨て着用可能吸収性物品。
【請求項６】
前記二次可視湿潤度インジケータの実質的に全てが、前記獲得層の前記外側末端部より外側に配置される、請求項５に記載の使い捨て着用可能吸収性物品。
【請求項７】
前記物品が、外側末端部を有する分配層を含み、
前記二次可視湿潤度インジケータの一部分が、前記獲得層の前記外側末端部に対して内側に配置され、
前記二次可視湿潤度インジケータの一部分が、前記分配層の前記外側末端部より外側に配置される、請求項１に記載の使い捨て着用可能吸収性物品。
【請求項８】
前記二次可視湿潤度インジケータの実質的に全てが、前記分配層の前記外側末端部より外側に配置される、請求項７に記載の使い捨て着用可能吸収性物品。
【請求項９】
前記物品が、外側末端部を有する吸収性コアを含み、
前記二次可視湿潤度インジケータの一部分が、前記吸収性コアの前記外側末端部に対して内側に配置され、
前記二次可視湿潤度インジケータの一部分が、前記吸収性コアの前記外側末端部より外側に配置される、請求項１に記載の使い捨て着用可能吸収性物品。
【請求項１０】
前記二次可視湿潤度インジケータの実質的に全てが、前記吸収性コアの前記外側末端部より外側に配置される、請求項９に記載の吸収性物品。
【発明の詳細な説明】
【技術分野】
【０００１】
概して、本開示の実施形態は、吸収性物品の湿潤度表示に関する。特に、本開示の実施形態は、吸収性物品の可視充満度表示に関する。
【背景技術】
【０００２】
吸収性物品は、汗、血液、尿、経血等の液状排泄物を吸収することができる。吸収性物品は湿潤度インジケータを含むことができる。湿潤度インジケータは、物品中の液状排泄物の存在を示すことができる。
【発明の概要】
【発明が解決しようとする課題】
【０００３】
残念なことに、一部の吸収性物品用湿潤度インジケータはわかりにくい場合がある。湿潤度インジケータからのシグナルが正しく理解されないと、吸収性物品を交換するのが早すぎる場合がある。着用者が物品の収容力を十分に活用しない可能性がある。湿潤度インジケータからのシグナルが正しく理解されない場合には、吸収性物品を交換するのが遅すぎる場合がある。排泄物が物品の収容力を超えて、漏れが生じる可能性がある。
【課題を解決するための手段】
【０００４】
本開示は、わかりやすいインジケータを有する吸収性物品を含む。本開示の吸収性物品は、一次可視充満度インジケータと二次可視湿潤度インジケータとを有するのでわかりやすい。
【０００５】
一例として、吸収性物品は、１つの一次可視充満度インジケータと１つの二次可視湿潤度インジケータとを有することができる。これらインジケータは、可視状態を順番に変化させることができる。第１に、一次可視充満度インジケータが可視状態を変化させ始めて、一次表示シグナルを提供することができる。一次シグナルは、吸収性物品がやや充満されたことを示すことができる。第２に、二次可視湿潤度インジケータが可視状態を変化させ始めて、一次表示シグナルに加えて一次表示シグナルとは別個の、二次表示シグナルを提供することができる。二次表示シグナルは、吸収性物品が充満に近づいていることを示すことができる。一次表示シグナルと二次表示シグナルとの組み合わせは、充満の程度を示しているものとして容易に理解され得る。両方合わせて、一次可視充満度インジケータと二次可視湿潤度インジケータとの組み合わせは、可視充満度表示システムと考えることができる。
【０００６】
一次可視充満度インジケータと二次可視湿潤度インジケータとを有する吸収性物品は、吸収性物品の充満度に関する確実性をもたらすのを助けることができる。物品がどれだけ満たされているかを知ることによって、着用者が物品の収容力を適切に利用した後に物品を交換することができる。また、物品がどれだけ満たされているかを知ることによって、漏れそうになる前に物品を交換することができる。
【図面の簡単な説明】
【０００７】
【図１Ａ】本開示の実施形態による、一次可視充満度インジケータ（primary visual fullness indicator）と二次可視湿潤度インジケータ（secondary visual wetness indicator）とを前側に有するパンツ型使い捨て着用可能吸収性物品。
【図１Ｂ】本開示の実施形態による、一次可視充満度インジケータと二次可視湿潤度インジケータとを後側に有するパンツ型使い捨て着用可能吸収性物品。
【図１Ｃ】本開示の実施形態による、複数の一次可視充満度インジケータと二次可視湿潤度インジケータとを有するパンツ型使い捨て着用可能吸収性物品。
【図２Ａ】本開示の実施形態による、一次可視充満度インジケータと二次可視湿潤度インジケータとを前側に有する前側締結可能な使い捨て着用可能吸収性物品。
【図２Ｂ】本開示の実施形態による、一次可視充満度インジケータと二次可視湿潤度インジケータとを後側に有する前側締結可能な使い捨て着用可能吸収性物品。
【図２Ｃ】本開示の実施形態による、複数の一次可視充満度インジケータと二次可視湿潤度インジケータとを有する前側締結可能な使い捨て着用可能吸収性物品。
【図３Ａ】本開示の実施形態による、１つの一次可視充満度インジケータと３つの二次可視湿潤度インジケータとを有する吸収性物品の一部分。
【図３Ｂ】本開示の実施形態による、図３Ａのインジケータの表示の後続状態。
【図３Ｃ】本開示の実施形態による、図３Ｂのインジケータの表示の後続状態。
【図３Ｄ】本開示の実施形態による、図３Ｃのインジケータの表示の後続状態。
【図３Ｅ】本開示の実施形態による、図３Ｄのインジケータの表示の後続状態。
【図３Ｆ】本開示の実施形態による、図３Ｅのインジケータの表示の後続状態。
【図３Ｇ】本開示の実施形態による、図３Ｆのインジケータの表示の後続状態。
【図４】本開示の実施形態による、複数の二次可視湿潤度インジケータを有するパンツ型使い捨て着用可能吸収性物品。
【図５Ａ】本開示の実施形態による、使い捨て着用可能吸収材の吸収性コアの代表的な負荷プロファイル。
【図５Ｂ】本開示の実施形態による、図５Ａの代表的な負荷プロファイルと、１つの一次可視充満度インジケータと、２つの二次可視湿潤度インジケータとを有する使い捨て着用可能吸収性物品。
【図６】本開示の実施形態による、代表的な吸収性コア。
【図７】本開示の実施形態による、吸収性コアの漏れリスクの確率を説明する代表的な曲線。
【発明を実施するための形態】
【０００８】
本開示の一次及び二次インジケータは、あらゆる種類の吸収性物品と共に使用され得る。吸収性物品は、汗、血液、尿、経血等の液状排泄物を吸収することができる。吸収性物品は、製品又は材料であり得る。吸収性物品の例には、衛生保護、衛生用途、及び／又は創部のケアのための製品及び／又は材料が挙げられる。
【０００９】
一部の吸収性物品は使い捨てである。使い捨て吸収性物品は、一度使用した後に部分的又は全体的に廃棄されるように構成される。使い捨て吸収性物品は、汚れた物品又は物品の汚れた部分が復元又は再使用されることを意図していない（例えば、洗濯されることを意図していない）ように構成される。使い捨て吸収性物品の例には、包帯及び包帯剤などの創部のケア製品、並びにパッド及びライナーなどの女性用ケア製品が挙げられる。使い捨て吸収性物品は、本開示の実施形態を使用することができる。
【００１０】
一部の吸収性物品は着用可能である。着用可能な吸収性物品は、着用者の身体上に又は身体の周囲に着用されるように構成される。着用可能な吸収性物品は使い捨てであることもできる。使い捨て着用可能吸収性物品の例としては、使い捨ておむつ及び使い捨て失禁用下着が挙げられる。使い捨て着用可能吸収性物品は、着用者により着用されている間、排泄物を受容し収容することができる。一部の実施形態において、使い捨て着用可能吸収性物品は、トップシートと、吸収性コアと、外側カバーと、腰部開口部と、脚部開口部とを含むことができる。使い捨て着用可能吸収性物品は、本開示の実施形態を使用することができる。
【００１１】
吸収性物品の湿潤度インジケータの１つの種類は、可視充満度インジケータである。湿潤度インジケータは、液状排泄物の存在をその可視状態によって示すことができる場合に、可視であるとみなされる。本開示全体を通して、特に指定のない限り、液状排泄物の存在とは、可視湿潤度インジケータが可視状態を変化させるのに十分な液状排泄物濃度が存在することを指す。湿潤度インジケータは、液状排泄物が吸収性物品を満たした程度を示すことができる場合に、充満度インジケータと考えられる。可視充満度インジケータは、インジケータが可視状態を漸次変化させるようにインジケータに沿って移動する濡れ縁部（wet edge）によって、液状排泄物の存在を示すことができる。可視充満度インジケータは、１つ以上の可視表示エリアを含むことができる。可視表示エリアは、画定された連続的な２次元領域であり、その可視状態によって液状排泄物の存在を示すように構成される。例として、様々な実施形態において、インジケータは、一連の表示エリア又は表示エリアのパターンを含むことができる。
【００１２】
本開示の図は、本明細書に記載の要素、それらの部品、及びそれらの関係を例示することを意図しているが、これらの図は、特に指定のない限り、あらゆる特定の相対的又は絶対的サイズ又は寸法を例示することを意図していない。
【００１３】
図１Ａ〜図２Ｃは、それぞれが１つ以上のインジケータを有している、様々な使い捨て着用可能吸収性物品を示す。明瞭にするために、図１Ａ〜図２Ｃは、インジケータ又は使い捨て着用可能吸収性物品の全詳細を図示していない。図１Ａ〜図２Ｃの各一次インジケータは、本開示の一次インジケータの任意の実施形態であり得る。図１Ａ〜図２Ｃの各二次インジケータは、本開示の二次インジケータの任意の実施形態であり得る。
【００１４】
図１Ａは、着用のために形成されるパンツ型使い捨て着用可能吸収性物品１００Ａの前側１０１及び側部１０３の外側斜視図を示す。吸収性物品１００Ａは、前側１０１に配置される、長手方向に向けられている一次可視充満度インジケータ１３１と二次可視湿潤度インジケータ１４１とを含む。両方合わせて、一次可視充満度インジケータ１３１及び二次可視湿潤度インジケータ１４１は、可視充満度表示システムと考えることができる。
【００１５】
本開示全体を通して、パンツ型使い捨て着用可能吸収性物品への言及は、側面で締結可能な実施形態、又は締結具のない実施形態を指すことができる。パンツ型使い捨て着用可能吸収性物品への言及はまた、予備成形された腰部及び／又は脚部開口部を有する物品、あるいは予備成形されていない実施形態を指すことができる。したがって、パンツ型として説明される本開示の吸収性物品の各実施形態は、当業者には理解されるように、これらの様式のいずれかで構成され得る。
【００１６】
図１Ｂは、着用のために形成されるパンツ型使い捨て着用可能吸収性物品１００Ｂの側部１０３及び後側１０５の外側斜視図を示す。吸収性物品１００Ｂは、後側１０５に配置される、長手方向に向けられている一次可視充満度インジケータ１３５と二次可視湿潤度インジケータ１４５とを含む。両方合わせて、一次可視充満度インジケータ１３５及び二次可視湿潤度インジケータ１４５は、可視充満度表示システムと考えることができる。
【００１７】
図１Ｃは、平面に展開されたパンツ型使い捨て着用可能吸収性物品１００Ｃの外側平面図を示す。使い捨て着用可能吸収性物品１００Ｃは、横方向中心線１１６で分けられる前側１０１と後側１０５とを含む。
【００１８】
図１Ｃでは、長手方向中心線１１３及び横方向中心線１１６が、使い捨て着用可能吸収性物品１００Ｃの相対位置を参照するための基準線を提供する。第１の位置が第２の位置よりも長手方向中心線１１３に近接するとき、第１の位置は、第２の位置に対して横方向内側１１２にあると考えることができる。同様に、第２の位置は、第１の位置から横方向外側１１１にあるものと考えることができる。第３の位置が第４の位置よりも横方向中心線１１６に近接するとき、第３の位置は、第４の位置に対して長手方向内側１１５にあると考えることができる。また、第４の位置は、第３の位置から長手方向外側１１４にあるものと考えることができる。
【００１９】
内側位置（inboard location）への言及は、横方向又は長手方向の制限なく、別の位置に対して横方向内側及び／又は長手方向内側にある、使い捨て着用可能吸収性物品１００Ｃの位置を指す。同様に、外側位置（outboard location）への言及は、横方向又は長手方向の制限なく、別の位置より横方向外側及び／又は長手方向外側にある、使い捨て着用可能吸収性物品１００Ｃの位置を指す。
【００２０】
使い捨て着用可能吸収性物品の中心を参照して、内側及び外側を理解することもできる。長手方向中心線１１３及び横方向中心線１１６は、使い捨て着用可能吸収性物品１００Ｃの中心１１９で交差する。ある位置が別の位置よりも中心１１９に近接している場合、このある位置は他方の位置に対して内側にあると考えることができる。このある位置は、横方向に若しくは長手方向で、又は横方向及び長手方向の両方で内側にあり得る。もう一方の位置は、このある位置より外側にあると考えることができる。このもう一方の位置は、横方向に若しくは長手方向で、又は横方向及び長手方向の両方で外側にあり得る。
【００２１】
図１Ｃは、それぞれ使い捨て着用可能吸収性物品１００Ｃに関し、横方向外側１１１、横方向内側１１２、長手方向外側１１４、及び長手方向内側１１５の相対方向を示す矢印を含んでいる。本開示全体を通して、長手方向寸法、測定値、線、又は方向への言及は、長手方向中心線１１３に対してほぼ又は完全に平行である寸法、測定値、線、又は方向を指し、横方向寸法、測定値、線、又は方向への言及は、横方向中心線１１６に対してほぼ又は完全に平行である寸法、測定値、線、又は方向を指す。上述のような相対位置を説明するための用語は、使い捨て着用可能吸収性物品に関して本開示全体を通して使用される。この用語は、当業者には理解されるように、種々のその他の吸収性物品にも同様に適用され得る。
【００２２】
使い捨て着用可能吸収性物品１００Ｃは、様々な例示的な位置及び配向にある多数のインジケータを含む。使い捨て着用可能吸収性物品１００Ｃは、前側１０１の長手方向中心線１１３に沿った、長手方向に向けられている一次可視充満度インジケータ１３１を含む。前側１０１はまた、第１の二次可視湿潤度インジケータ１４１と、第２の二次可視湿潤度インジケータ１５１と、第３の二次可視湿潤度インジケータ１６１とを含む。全体を合わせて、一次可視充満度インジケータ１３１、並びに二次可視湿潤度インジケータ１４１、１５１、及び１６１のうちの１つ以上は、可視充満度表示システムと考えることができる。
【００２３】
使い捨て着用可能吸収性物品１００Ｃは、後側１０５の長手方向中心線１１３に沿った、別の長手方向に向けられている一次可視充満度インジケータ１３５も含む。後側１０５はまた、第４の二次可視湿潤度インジケータ１４５と、第５の二次可視湿潤度インジケータ１５５と、第６の二次可視湿潤度インジケータ１６５とを含む。全体を合わせて、一次可視充満度インジケータ１３５、並びに二次可視湿潤度インジケータ１４５、１５５、及び１６５のうちの１つ以上は、可視充満度表示システムと考えることができる。
【００２４】
使い捨て着用可能吸収性物品１００Ｃでは、インジケータは、中心１１９から実質的に放射状に配向される。しかしながら、当業者には理解されるように、図１Ｃに例示されている位置及び配向に加えて、本開示の可視充満度インジケータは、吸収性物品内の種々の代替位置及び配向に配置されることができる。一例として、可視充満度インジケータは、パンツ型使い捨て着用可能吸収性物品に、横方向の配向で又は物品の中心線に対して角度をなして配置されることができる。
【００２５】
図２Ａは、着用のために形成される前側締結可能な使い捨て着用可能吸収性物品２００Ａの前側２０１及び側部２０３の外側斜視図を示している。吸収性物品２００Ａは、前側２０１配置される、長手方向に向けられている一次可視充満度インジケータ２３１と二次可視湿潤度インジケータ２４１とを含む。両方合わせて、一次可視充満度インジケータ２３１及び二次可視湿潤度インジケータ２４１は、可視充満度表示システムと考えることができる。
【００２６】
本開示は前側締結可能な吸収性物品を参照しているが、本開示は、本明細書に記載のような一次可視充満度インジケータと二次可視湿潤度インジケータとを有する吸収性物品の代替実施形態も想到し、この吸収性物品は後方締結可能である。したがって、前側締結可能であるとして説明される本開示の吸収性物品の各実施形態は、当業者には理解されるように、後方締結可能に構成されることも可能である。
【００２７】
図２Ｂは、着用のために形成される前側締結可能な使い捨て着用可能吸収性物品２００Ｂの側部２０３及び後側２０５の外側斜視図を示している。吸収性物品２００Ｂは、後側２０５に配置される、長手方向に向けられている一次可視充満度インジケータ２３５と二次可視湿潤度インジケータ２４５とを含む。両方合わせて、一次可視充満度インジケータ２３５及び二次可視湿潤度インジケータ２４５は、可視充満度表示システムと考えることができる。
【００２８】
図２Ｃは、平面に展開された前側締結可能な使い捨て着用可能吸収性物品２００Ｃの外側平面図を示している。使い捨て着用可能吸収性物品２００Ｃは、前側２０１と、後側２０５と、長手方向中心線２１３と、横方向中心線２１６とを含む。
【００２９】
使い捨て着用可能吸収性物品２００Ｃは、様々な例示的な位置及び配向にある多数のインジケータを含む。使い捨て着用可能吸収性物品２００Ｃは、前側２０１の長手方向中心線２１３に沿った、長手方向に向けられている一次可視充満度インジケータ２３１を含む。前側２０１はまた、第１の二次可視湿潤度インジケータ２４１と、第２の二次可視湿潤度インジケータ２５１と、第３の二次可視湿潤度インジケータ２６１とを含む。全体を合わせて、一次可視充満度インジケータ２３１、並びに二次可視湿潤度インジケータ２４１、２５１、及び２６１のうちの１つ以上は、可視充満度表示システムと考えることができる。
【００３０】
使い捨て着用可能吸収性物品２００Ｃはまた、後側２０５の長手方向中心線２１３に沿った、長手方向に向けられている一次可視充満度インジケータ２３５を含む。後側２０５はまた、第１の二次湿潤度インジケータ２４５と、第２の二次湿潤度インジケータ２５５と、第３の二次湿潤度インジケータ２６５とを含む。全体を合わせて、一次可視充満度インジケータ２３５、並びに二次可視湿潤度インジケータ２４５、２５５、及び２６５のうちの１つ以上は、可視充満度表示システムと考えることができる。
【００３１】
使い捨て着用可能吸収性物品２００Ｃにおいて、インジケータは、中心２１９から実質的に放射状に配向される。しかしながら、当業者には理解されるように、図２Ｃに例示されている位置及び配向に加えて、本開示の可視充満度インジケータは、吸収性物品内の種々の代替位置及び配向に配置されることができる。一例として、可視充満度インジケータは、前側締結可能な使い捨て着用可能吸収性物品に、横方向の配向で又は物品の中心線に対して角度をなして配置されることができる。
【００３２】
図３Ａは、平面に展開された吸収性物品３００の一部分３０８の外側平面図を示している。種々の実施形態において、吸収性物品３００は、パンツ型使い捨て着用可能吸収性物品又は前側締結可能な使い捨て着用可能吸収性物品などの使い捨て着用可能吸収性物品であることができる。図３Ａにおいて、一部分３０８は吸収性物品３００の他の部分から切り離して図示されているので、一部分３０８の外側縁部は破線である。参照用に、図３Ａは、吸収性物品３００の中心３１９、及び吸収性物品３００の外側（outboard）３１７及び内側（inboard）３１８に関する相対方向を示す矢印を図示している。
【００３３】
吸収性物品３００の一部分３０８は、一次可視充満度インジケータ３３０を含む。一次インジケータは、二次インジケータが状態を変化させ始める前に状態を変化させ始めることができるので、二次インジケータに対して一次的であると考えられる。
【００３４】
一次可視充満度インジケータ３３０は、中心３１９からオフセットして配置される。種々の実施形態において、インジケータの１つ以上の部分は、吸収性物品の中心近くに、中心に、又は中心と重なって配置され得る。例えば、単一表示エリアは、吸収性物品の前側から、吸収性物品の中心を通って、吸収性物品の後側まで延在することができる。このような実施形態では、表示エリアに沿った最も遠い内側点は、２つのインジケータの内側末端部と考えることができる。
【００３５】
一次可視充満度インジケータ３３０は、内側末端部３３２と外側末端部３３３とを含む。一次可視充満度インジケータ３３０は、一次可視充満度インジケータ３３０に沿って内側末端部３３２から外側末端部３３３まで測定される全インジケータ長を有する。一次可視充満度インジケータ３３０は、実質的に細長くかつ実質的に矩形である全体的形状を有する。一次可視充満度インジケータ３３０は、全インジケータ長全体に沿って実質的に均一な幅を有する。
【００３６】
種々の実施形態において、インジケータ及び／又は表示エリアは、程度の差はあるが細長い全体的形状を有することができる。一部の実施形態では、インジケータ及び／又は表示エリアの一部分、若しくは複数の部分、又は全ては、直線状、曲線状、角度付き、セグメント化された、又は任意の規則的若しくは不規則的な幾何学的形状（例えば正方形、矩形、三角形、台形、八角形、六角形、星形、半円、四半円、半楕円形、四半楕円形、放射パターンなど）、認識可能な画像（例えば、文字、数字、単語、キャラクター、動物の顔、人の顔など）、又は別の認識可能な画像（例えば植物、自動車など）、あるいは別の形状、又はこれらの形状の組み合わせであり得る。また、種々の実施形態において、インジケータ及び／又は表示エリアは、その長さの一部分、若しくは複数の部分、又は全てにわたって異なる幅を有することができる。
【００３７】
可視充満度インジケータは、１つ以上の可視インジケータ及び／又は可視表示エリアの、視覚的に区別可能かつ認識可能な経路である。経路は、その可視状況において認識可能である。換言すれば、経路は、周辺エリアの見た目と比べてはっきりと区別できる。
【００３８】
可視充満度インジケータの経路は、２つの画定された末端部と、これら２つの末端部の間の中間部と、その一方の末端部から他方の末端部までの画定された長さとを有する。可視充満度インジケータは、１つ以上の幅を有することができ、この幅のそれぞれは規定長未満である。
【００３９】
可視充満度インジケータは、様々な形態に構成され得る。例えば、可視充満度インジケータは、経路に沿って配置された単一の連続的表示エリアによって形成されることができる。別の例として、可視充満度インジケータは、経路に沿って配置された複数の別個のインジケータ及び／又は別個の表示エリアによって形成されることができる。
【００４０】
一次可視充満度インジケータ３３０は、１つの可視充満度表示エリアを含む。種々の実施形態において、インジケータは、１つ以上の可視充満度表示エリアを含むことができる。
【００４１】
一次可視充満度インジケータ３３０は、全インジケータ長全体に沿って吸収性物品３００の吸収性コアと流体連通している。種々の実施形態において、可視インジケータは、インジケータの一部分、若しくは複数の部分、又はほぼ全て、又は全てが、吸収性コアと流体連通しているように構成され得る。一部の実施形態では、可視インジケータは、インジケータの一部分、若しくは複数の部分、又はほぼ全て、又は全てが、吸収性コアと重なり合うように、あるいはインジケータの一部分、若しくは複数の部分、又はほぼ全て、又は全てが、吸収性コアと重なり合わないように構成され得る。
【００４２】
本開示全体を通して、流体連通は、液状物質がある要素又は位置から別の要素又は位置まで自由に通過できるようにする、構成された構造的関係を指すが、液体が通過する可能性があり得る共通要素に連結又は接合されるだけでは、ある要素又は位置が別の要素又は位置と流体連通しているとは必ずしもみなされない。この流体連通の定義は、以下の例によって更に説明される。
【００４３】
例えば、液状物質が、ある要素から接触部分を通って別の要素まで自由に通過することができるように、ある要素が別の要素と直接的な物理接触をするように構成される場合は、これらの要素は流体連通しているとみなされることができる。別の例として、液状物質が、ある要素から流体連通のための手段を通って別の要素まで自由に通過することができるように、ある要素が、流体連通のための手段によって別の要素に連結される場合、これらの要素は流体連通しているとみなされることができる。
【００４４】
更なる例として、ある要素が基材に連結され、別の要素が同じ基材に接続されるが、この基材が液状物質を自由に通過させない場合は、これらの要素は流体連通していないとみなされることができる。このことは、液体が自由に通過できない限り、液体が基材を通過する可能性があり得る場合にも当てはまる。これらの例を通して説明された液体連通の上記定義は、当業者には理解されよう。
【００４５】
本開示全体を通して、用語液状排泄物は、液状で出る任意の身体内物質（例えば尿）及び／又は任意の液体様身体内物質（例えば粘性が低い糞便）を指す。
【００４６】
一次可視充満度インジケータ３３０は、液状排泄物の存在を示すときに、１つ以上の初期可視状態から１つ以上の後続可視状態へと変化するように構成される。本開示全体を通して、用語可視状態は、標準的な照明条件において正常視力を有する裸眼のヒトが知覚することができる外観を指す。可視状態は、１つ以上の色、色の変化、模様、文字、数字、記号、デザイン、画像、及び／又はその他の視覚デバイスを含むことができる。色は、例えば赤、オレンジ、黄色、緑、青、紫等などの周知の色を含む。色の変化は、とりわけ、彩度、色相、及び輝度の変化を含む。参照しやすいようにこれら非公式な用語を使用するが、本開示の実施形態は、標準的な照明条件において正常視力を有する裸眼のヒトが知覚することができる全ての色を包含することを意図している。
【００４７】
種々の実施形態において、可視充満度表示エリアの一部分、若しくは複数の部分、又は全ては、１つ以上の初期可視状態から１つ以上の後続可視状態へと変化するように構成され得る。また、本開示の実施形態では、可視充満度表示エリアの特定部分に関し、後続可視状態が第１の初期可視状態と視覚的に区別可能である限り、初期可視状態及び後続可視状態は、それぞれ任意の可視状態であることができる。
【００４８】
本開示全体を通して、可視状態は、標準的な照明条件において正常視力を有する裸眼のヒトが見てすぐに異なっていると認識することができる場合に、視覚的に区別可能であると考えられる。一例として、標準的な照明条件において正常視力を有する裸眼のヒトは、青と黄色が異なる色であることを見てすぐに認識できなくてはならない。したがって、青及び黄色は、視覚的に区別可能な可視状態であると考えられることになる。別の例として、標準的な照明条件において正常視力を有する裸眼のヒトは、明るい色合いのオレンジと暗い色合いのオレンジが異なる色合いの色であることを見てすぐに認識可能であり得る。したがって、明るい色合いのオレンジ及び暗い色合いのオレンジは、視覚的に区別可能な可視状態であると考えられる。更なる例として、標準的な照明条件において正常視力を有する裸眼のヒトは、第１の模様と第２の模様が異なる可視状態であることを見てすぐに認識可能であり得る。したがって、第１の模様及び第２の模様は、視覚的に区別可能な可視状態であると考えられる。
【００４９】
なお更なる例として、標準的な照明条件において正常視力を有する裸眼のヒトは、文字を有する領域と空白領域が異なる可視状態であることを見てすぐに認識できるべきである。したがって、文字を有する領域及び空白領域は、視覚的に区別可能な可視状態であると考えられる。同様に、数字、記号、デザイン、画像、及び／又はその他の視覚デバイスを有する領域も、空白領域と、又は均一に色の付いた領域と、視覚的に区別可能であると考えられる。当業者には理解されるように、これらの例に加えて、これら以外の多くの可能な視覚的に区別可能な可視状態が存在する。
【００５０】
当業者には理解されるように、排泄物の存在を示すときに可視状態を変化させる可視インジケータを含むように本開示の吸収性物品を構成することができる、いくつかの方法が存在する。例えば、吸収性物品は、次の米国特許に記載されるような可視充満度インジケータを含むように構成され得る：米国特許第４，０２２，２１１号、名称「Ｗｅｔｎｅｓｓ  ｉｎｄｉｃａｔｏｒ  ｆｏｒ  ａｂｓｏｒｂｅｎｔ  ｐａｄｓ」、１９７７年５月１０日にＴｉｍｍｏｎｓらに付与；米国特許第４，２３１，３７０号、名称「Ｄｉｓｐｏｓａｂｌｅ  ｄｉａｐｅｒ  ｔｙｐｅ  ｇａｒｍｅｎｔ  ｈａｖｉｎｇ  ｗｅｔｎｅｓｓ  ｉｎｄｉｃａｔｏｒ」、１９８０年１１月４日にＭｒｏｚらに付与；米国特許第４，３２７，７３１号、名称「Ｍｏｉｓｔｕｒｅ  ｉｎｄｉｃａｔｏｒ」、１９８２年５月４日にＰｏｗｅｌｌに付与；米国特許第４，６８１，５７６号、名称「Ｗｅｔｎｅｓｓ  ｉｎｄｉｃａｔｉｎｇ  ｈｏｔ−ｍｅｌｔ  ａｄｈｅｓｉｖｅ」、１９８７年７月２１日にＣｏｌｏｎらに付与；米国特許第４，７０５，５１３号、名称「Ｄｉｓｐｏｓａｂｌｅ  ｄｉａｐｅｒ  ｗｉｔｈ  ｗｅｔｎｅｓｓ  ｉｎｄｉｃａｔｏｒ」、１９８７年１１月１０日にＳｈｅｌｄｏｎらに付与；米国特許第４，７３８，６７４号、名称「Ｍｏｉｓｔｕｒｅ  ｉｎｄｉｃａｔｏｒ  ａｐｐａｒａｔｕｓ  ａｎｄ  ｍｅｔｈｏｄ」、１９８８年４月１９日にＴｏｄｄらに付与；米国特許第４，７４３，２３８号、名称「Ｗｅｔｎｅｓｓ  ｉｎｄｉｃａｔｉｎｇ  ｈｏｔ−ｍｅｌｔ  ａｄｈｅｓｉｖｅ」、１９８８年５月１０日にＣｏｌｏｎらに付与；米国特許第４，８９５，５６７号、名称「Ｗｅｔｎｅｓｓ  ｉｎｄｉｃａｔｉｎｇ  ｈｏｔ−ｍｅｌｔ  ａｄｈｅｓｉｖｅ」、１９９０年１月２３日にＣｏｌｏｎらに付与；米国特許第４，９３１，０５１号、名称「Ｗｅｔｎｅｓｓ  ｉｎｄｉｃａｔｏｒ」、１９９０年６月５日にＣａｓｔｅｌｌｏに付与；米国特許第５，０３５，６９１号、名称「Ｈｏｔ  ｍｅｌｔ  ｍｏｉｓｔｕｒｅ  ｉｎｄｉｃａｔｏｒ  ｍａｔｅｒｉａｌ  ｆｏｒ  ｄｉｓｐｏｓａｂｌｅ  ａｒｔｉｃｌｅｓ」、１９９１年７月３０日にＺｉｍｍｅｌらに付与；米国特許第５，０６６，７１１号、名称「Ｗｅｔｎｅｓｓ  ｉｎｄｉｃａｔｉｎｇ  ｈｏｔ−ｍｅｌｔ  ａｄｈｅｓｉｖｅ」、１９９１年１１月１９日にＣｏｌｏｎらに付与；米国特許第５，０８９，５４８号、名称「Ｈｏｔ  ｍｅｌｔ  ｍｏｉｓｔｕｒｅ  ｉｎｄｉｃａｔｏｒ  ｍａｔｅｒｉａｌ  ｆｏｒ  ｄｉｓｐｏｓａｂｌｅ  ａｒｔｉｃｌｅｓ」、１９９２年２月１８日にＺｉｍｍｅｌらに付与；米国特許第５，１６７，６５２号、名称「Ｍｏｉｓｔｕｒｅ  ｓｅｎｓｉｔｉｖｅ  ｆｉｌｍ」、１９９２年１２月１日にＭｕｅｌｌｅｒに付与；米国特許第５，３４２，８６１号、名称「Ｈｏｔ  ｍｅｌｔ  ｗｅｔｎｅｓｓ  ｉｎｄｉｃａｔｏｒ」、１９９４年８月３０日にＲａｙｋｏｖｉｔｚに付与；米国特許第５，３５４，２８９号、名称「Ａｂｓｏｒｂｅｎｔ  ｐｒｏｄｕｃｔ  ｉｎｃｌｕｄｉｎｇ  ｓｕｐｅｒ  ａｂｓｏｒｂｅｎｔ  ｍａｔｅｒｉａｌ  ａｎｄ  ｆｌｕｉｄ  ａｂｓｏｒｐｔｉｏｎ  ｃａｐａｃｉｔｙ  ｍｏｎｉｔｏｒ」、１９９４年１０月１１日にＭｉｔｃｈｅｌｌらに付与���米国特許第Ｈ１，３７６号、名称「Ｃａｐａｃｉｔｙ  ｉｎｄｉｃｉａ  ｆｏｒ  ａｂｓｏｒｂｅｎｔ  ａｒｔｉｃｌｅｓ」、１９９４年１１月１日にＯｓｂｏｒｎｅらに付与；米国特許第５，６４７，８６３号、名称「Ａｂｓｏｒｂｅｎｔ  ａｒｔｉｃｌｅ  ｗｉｔｈ  ｃｌｅａｎ  ａｐｐｅａｒａｎｃｅ  ａｎｄ  ｃａｐａｃｉｔｙ  ｓｉｇｎａｌ  ｍｅａｎｓ」、１９９７年７月１５日にＨａｍｍｏｎｓらに付与；米国特許第５，６９０，６２４号、名称「Ｄｉｓｐｏｓａｂｌｅ  ｄｉａｐｅｒ」、１９９７年１１月２５日にＳａｓａｋｉらに付与；米国特許第５．７６６，２１２号、名称「Ｄｉｓｐｏｓａｂｌｅ  ｄｉａｐｅｒ」、１９９８年６月１６日にＪｉｔｏｅらに付与；米国特許第６，０７５，１７８号、名称「Ａｂｓｏｒｂｅｎｔ  ａｒｔｉｃｌｅ  ｗｉｔｈ  ｗｅｔｎｅｓｓ  ｉｎｄｉｃａｔｏｒ」、２０００年６月１３日に付与；米国特許第６，５１５，１９４号、名称「Ｄｉａｐｅｒ  ｈａｖｉｎｇ  ｃｅｎｔｒａｌｌｙ−ｌｏｃａｔｅｄ  ｃｈｒｏｍａｔｏｇｒａｐｈｉｃ  ｌａｙｅｒ  ｗｉｔｈ  ｐｅｒｉｐｈｅｒａｌｌｙ−ｌｏｃａｔｅｄ  ｗｅｔｎｅｓｓ  ｉｎｄｉｃａｔｏｒ」、２００３年２月４日にＮｅａｄｉｎｇらに付与；米国特許第６，５９６，９１８号、名称「Ａｂｓｏｒｂｅｎｔ  ａｒｔｉｃｌｅｓ  ｈａｖｉｎｇ  ｗｅｔｎｅｓｓ  ｉｎｄｉｃａｔｉｎｇ  ｇｒａｐｈｉｃｓ  ａｎｄ  ｅｍｐｌｏｙｉｎｇ  ｍａｓｋｉｎｇ  ｔｅｃｈｎｉｑｕｅｓ」、２００３年７月２２日にＷｅｈｒｌｅらに付与；米国特許第６，６５３，５２２号、名称「Ｈｏｔ  ｍｅｌｔ  ａｄｈｅｓｉｖｅｓ  ｂａｓｅｄ  ｏｎ  ｓｕｌｆｏｎａｔｅｄ  ｐｏｌｙｅｓｔｅｒｓ  ｃｏｍｐｒｉｓｉｎｇ  ｗｅｔｎｅｓｓ  ｉｎｄｉｃａｔｏｒ」、２００３年１１月２５日にＢｌｕｍｅｎｔｈａｌらに付与；米国特許第６，７７２，７０８号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ」、１９９４年８月１０日にＫｌｏｆｔａらに付与；米国特許第６，９０４，８６５号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ  ａｎｄ  ｄｕｒａｂｉｌｉｔｙ」、２００５年６月１４日にＫｌｏｆｔａらに付与；米国特許第７，１５９，５３２号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ  ａｎｄ  ｄｕｒａｂｉｌｉｔｙ」、２００７年１月９日にＫｌｏｆｔａらに付与；米国特許第７，１７２，６６７号、名称「Ｓｙｓｔｅｍ  ａｎｄ  ｍｅｔｈｏｄ  ｆｏｒ  ｉｎｃｏｒｐｏｒａｔｉｎｇ  ｇｒａｐｈｉｃｓ  ｉｎｔｏ  ａｂｓｏｒｂｅｎｔ  ａｒｔｉｃｌｅｓ」、２００７年２月６日にＶｅｒｇｏｎａに付与；米国特許第７，１７８，５７１号、名称「Ｓｙｓｔｅｍ  ａｎｄ  ｍｅｔｈｏｄ  ｆｏｒ  ｉｎｃｏｒｐｏｒａｔｉｎｇ  ｇｒａｐｈｉｃｓ  ｉｎｔｏ  ａｂｓｏｒｂｅｎｔ  ａｒｔｉｃｌｅｓ」、２００７年２月２０日にＶｅｒｇｏｎａに付与；米国特許第７，３０６，７６４号、名称「Ｗｅｔｎｅｓｓ  ｉｎｄｉｃａｔｏｒ」、２００７年１２月１１日にＭｏｄｙに付与；及び米国特許第７，３３２，６４２号、名称「Ｄｉｓｐｏｓａｂｌｅ  ａｂｓｏｒｂｅｎｔ  ａｒｔｉｃｌｅｓ  ｈａｖｉｎｇ  ｐｒｉｎｔｅｄ  ｗｅｔｎｅｓｓ  ｉｎｄｉｃａｔｏｒｓ」、２００８年２月１９日にＬｉｕに付与（当該特許はそれぞれ参照により本明細書に組み込まれる）。
【００５１】
吸収性物品３００は、吸収性物品３００が着用者により着用されると、一次可視充満度インジケータ３３０の一部分、若しくは複数の部分、又は全てが、吸収性物品３００の外側から見えるように構成され得る。その結果、一次可視充満度インジケータ３３０の後続可視状態の少なくとも一部は、吸収性物品３００の外側から見える。
【００５２】
吸収性物品３００の一部分３０８はまた、第１の二次可視湿潤度インジケータ３４０と、第２の二次可視湿潤度インジケータ３５０と、第３の二次可視湿潤度インジケータ３６０とを含む。二次インジケータは、一次インジケータが状態を変化させ始めた後に状態を変化させ始めることができるので、一次インジケータに対して二次的であるとみなされる。代替実施形態では、一部分３０８は、二次可視湿潤度インジケータ３４０、３５０、及び３６０のうちの１つだけを含むことができ、又は一部分３０８は、二次可視湿潤度インジケータ３４０、３５０、及び３６０のうちの任意の２つのみを含むことができ、又は一部分３０８は、追加の二次可視湿潤度インジケータを含むことができる。
【００５３】
二次可視湿潤度インジケータ３４０、３５０、及び３６０のそれぞれは、一次可視充満度インジケータ３３０から離間している。種々の実施形態において、二次可視湿潤度インジケータの１つ以上の部分は、一次可視充満度インジケータの１つ以上の部分と接触していることが可能である。第１及び第２の二次可視湿潤度インジケータ３４０及び３５０は、それぞれ、一次可視充満度インジケータ３３０の側部から離間している。第３の二次可視湿潤度インジケータ３６０は、一次可視充満度インジケータ３３０の外側末端部３３３から外側に離間している。第３の二次可視湿潤度インジケータ３６０は、一次可視充満度インジケータ３３０と同一直線上配置される。代替実施形態では、第３の二次可視湿潤度インジケータ３６０は、一次可視充満度インジケータ３３０とずらせて配置され得る。
【００５４】
二次可視湿潤度インジケータ３４０、３５０、及び３６０のそれぞれは、互いに離間している。一部の実施形態において、二次可視湿潤度インジケータの１つ以上の部分は、別の二次可視湿潤度インジケータの１つ以上の部分と接触していることが可能である。
【００５５】
二次可視湿潤度インジケータ３４０、３５０、及び３６０のそれぞれは、一次可視充満度インジケータ３３０に近接して配置される。この近接により、一次インジケータからの一次可視表示シグナル、及び二次インジケータからの二次可視表示シグナルを一緒に見ることが可能になるので、以下に更に記載されるように、物品の充満度がわかりやすい。第１及び第２のシグナルは全体として理解されるので、一次可視充満度インジケータ３３０、及び二次可視湿潤度インジケータ３４０、３５０、及び３６０のうちの１つ以上は、全体として可視充満度表示システムと考えることができる。
【００５６】
二次可視湿潤度インジケータ３４０、３５０、及び３６０のそれぞれは、一次可視充満度インジケータ３３０の外側末端部３３３に近接して配置される。一部の実施形態では、二次可視湿潤度インジケータは、一次可視充満度インジケータの別の部分に近接して配置され得る。
【００５７】
二次可視湿潤度インジケータ３４０、３５０、及び３６０のそれぞれは、インジケータに沿ってその内側末端部からその外側末端部まで測定された全インジケータ長を有する。二次可視湿潤度インジケータ３４０は、内側末端部３４２と外側末端部３４３とを有する。二次可視湿潤度インジケータ３５０は、内側末端部３５２と外側末端部３５３とを有する。二次可視湿潤度インジケータ３６０は、内側末端部３６２と外側末端部３６３とを有する。
【００５８】
二次可視湿潤度インジケータ３４０、３５０、及び３６０のそれぞれは、一次可視充満度インジケータ３３０の全インジケータ長よりも短い全インジケータ長を有する。種々の実施形態において、二次可視湿潤度インジケータは、一次可視充満度インジケータの全インジケータ長と同じ、又はそれより長い全長を有することができる。二次可視湿潤度インジケータ３４０、３５０、及び３６０のそれぞれは、同じ全インジケータ長を有する。一部の実施形態において、二次可視湿潤度インジケータは異なる全長を有することができる。
【００５９】
二次可視湿潤度インジケータ３４０、３５０、及び３６０のそれぞれは、実質的に細長かつ実質的に矩形である全体的形状を有する。二次可視湿潤度インジケータ３４０、３５０、及び３６０のそれぞれは、その全インジケータ長全体に沿って実質的に均一な幅を有する。二次可視湿潤度インジケータ３４０、３５０、及び３６０のそれぞれは、１つの可視充満度表示エリアを含む。二次可視湿潤度インジケータ３４０、３５０、及び３６０のそれぞれは、その全インジケータ長全体に沿って、吸収性物品３００の吸収性コアと連続的に流体連通している。
【００６０】
二次可視湿潤度インジケータの内側末端部は、一次可視充満度インジケータの内側末端部より外側に配置される。その結果、図３Ｂ〜図３Ｇの実施形態に関連して説明されるように、一次インジケータが状態を変化させ始めた後に、二次インジケータは状態を変化させ始めることができる。
【００６１】
第１の二次可視湿潤度インジケータ３４０の内側末端部３４２は、一次可視充満度インジケータ３３０の内側末端部３３２より外側、かつ一次可視充満度インジケータ３３０の外側末端部３３３に対して内側に配置される。第１の二次可視湿潤度インジケータ３４０の外側末端部３４３は、一次可視充満度インジケータ３３０の外側末端部３３３とほぼ同じ外側距離に配置される。代替実施形態では、第１の二次可視湿潤度インジケータ３４０の外側末端部３４３は、一次可視充満度インジケータ３３０の外側末端部３３３に対して内側に配置されることができる。
【００６２】
第２の二次可視湿潤度インジケータ３５０の内側末端部３５２は、一次可視充満度インジケータ３３０の内側末端部３３２より外側、かつ一次可視充満度インジケータ３３０の外側末端部３３３に対して内側に配置される。第２の二次可視湿潤度インジケータ３５０の内側末端部３５２はまた、第１の二次可視湿潤度インジケータ３４０の内側末端部３４２より外側、かつ第１の二次可視湿潤度インジケータ３４０外側末端部３４３に対して内側に配置される。
【００６３】
第２の二次可視湿潤度インジケータ３５０の外側末端部３５３は、一次可視充満度インジケータ３３０の外側末端部３３３より外側、かつ第１の二次可視湿潤度インジケータ３４０の外側末端部３４３より外側に配置される。代替実施形態では、第２の二次可視湿潤度インジケータ３５０の外側末端部３５３は、一次可視充満度インジケータ３３０の外側末端部３３３に対して内側、及び／又は第１の二次可視湿潤度インジケータ３４０の外側末端部３４３に対して内側に配置されることができる。
【００６４】
第３の二次可視湿潤度インジケータ３６０の内側末端部３６２は、一次可視充満度インジケータ３３０の外側末端部３３３より外側、第１の二次可視湿潤度インジケータ３４０の外側末端部３４３より外側、かつ第２の二次可視湿潤度インジケータ３５０の外側末端部３５３より外側に配置される。代替実施形態では、第３の二次可視湿潤度インジケータ３６０の内側末端部３６２は、第１の二次可視湿潤度インジケータ３４０の外側末端部３４３に対して内側、及び／又は第２の二次可視湿潤度インジケータ３５０の外側末端部３５３に対して内側に配置されることができる。
【００６５】
二次可視湿潤度インジケータ３４０、３５０、及び３６０のそれぞれは、液状排泄物の存在を示すときに、１つ以上の初期可視状態から１つ以上の後続可視状態へと変化するように構成される。二次可視湿潤度インジケータは、一次可視充満度インジケータの後続可視状態と同様、同一、又は異なることができる１つ以上の後続可視状態を有するように構成され得る。二次可視湿潤度インジケータは、別の二次可視湿潤度インジケータの後続可視状態と同様、同一、又は異なることができる１つ以上の後続可視状態を有するように構成され得る。
【００６６】
吸収性物品３００は、二次可視湿潤度インジケータ３４０、３５０、及び３６０のそれぞれの一部分、若しくは複数の部分、又は全てが、吸収性物品３００が着用者により着用された場合に、吸収性物品３００の外側から見えるように構成され得る。その結果、二次可視湿潤度インジケータ３４０、３５０、及び３６０のそれぞれの後続可視状態の少なくともいくつかは、吸収性物品３００の外側から見える。
【００６７】
一次可視充満度インジケータ３３０、並びに二次可視湿潤度インジケータ３４０、３５０、及び３６０は、図３Ｂ〜図３Ｇに図示されるように、可視状態を漸次かつ順番に変化させるように構成され得る。第１に、一次可視充満度インジケータ３３０は、吸収性物品３００の吸収性コアにおける液状排泄物の存在を第１の範囲まで示すときに、初期可視状態から後続可視状態へと変化し始めることができる。第２に、第１の二次可視湿潤度インジケータ３４０は、吸収性物品３００の吸収性コアにおける液状排泄物の存在を第２の範囲まで示すときに、初期可視状態から後続可視状態へと変化し始めることができる。第３に、第２の二次可視湿潤度インジケータ３５０は、吸収性物品３００の吸収性コアにおける液状排泄物の存在を第３の範囲まで示すときに、初期可視状態から後続可視状態へと変化し始めることができる。第４に、第３の二次可視湿潤度インジケータ３６０は、吸収性物品３００の吸収性コアにおける液状排泄物の存在を第４の範囲まで示すときに、初期可視状態から後続可視状態へと変化し始めることができる。インジケータ３３０、３４０、３５０、及び３６０における後続可視状態の部分的又は完全な有無は、吸収性物品３００の充満度を表すことができる。
【００６８】
一次可視充満度インジケータが可視状態を変化させるときに、一次可視充満度インジケータは一次表示シグナルを提供する。二次可視湿潤度インジケータが可視状態を変化させるときに、二次可視湿潤度インジケータは、一次表示シグナルに加えて一次表示シグナルとは別個の二次表示シグナルを提供する。この一次表示シグナルと二次表示シグナルとの組み合わせは、２つ合わせるとわかりやすい。したがって、一次可視充満度インジケータと、１つ以上の二次可視湿潤度インジケータとの組み合わせは、吸収性物品の充満度に関する確実性をもたらすのを助けることができる。図３Ａの実施形態では、一次可視充満度インジケータ３３０と、二次可視湿潤度インジケータ３４０、３５０、及び３６０のそれぞれとの組み合わせは、吸収性物品３００充満度に関する確実性をもたらすのを助けることができる。
【００６９】
吸収性物品の充満度を知ることにより、着用者が収容力を適切に利用した後に及び／又は吸収性物品が漏れそうになる前に、吸収性物品を交換することができる。本開示全体を通して、用語「収容力」は、吸収性コア単独の収容力を表すために使用され、獲得層又は分配層などの他の構成要素又は構造体の吸収力を含まない。以下に記載されるように、一次可視充満度インジケータと二次可視湿潤度インジケータとの組み合わせの利益は、図３Ｂ〜図３Ｇの実施形態でも同様に提供される。
【００７０】
図３Ｂ〜図３Ｇは、図３Ａの実施形態の一次可視充満度インジケータ３３０、並びに二次可視湿潤度インジケータ３４０、３５０、及び３６０を様々な表示状態で示しており、これらインジケータは、液状排泄物の存在下で可視状態を漸次かつ順番に変化させて、吸収性物品３００の充満度を表す。図３Ｂ〜図３Ｇでは、後続可視状態はハッチパターンで示されている。
【００７１】
図３Ｂは、図３Ａのインジケータの表示の後続状態を示しており、一次可視充満度インジケータ３３０の一部分が初期可視状態から後続可視状態へと変化して、吸収性物品３００の充満度を表している。図３Ｂでは、液状排泄物は、内側末端部３３２から一次可視充満度インジケータ３３０の一部分を通って濡れ縁部３５７Ｂまで可視状態を変化させるのに十分な濃度で、吸収性物品３００の吸収性コアの一部分を通過している。
【００７２】
本開示全体を通して、濡れ縁部は、吸収性物品の可視湿潤度インジケータに沿った境界を指し、この境界は、液状排泄物の存在の程度を表す。濡れ縁部の内側（inboard side）では、可視湿潤度インジケータは、可視湿潤度インジケータが可視状態を変化させるのに十分な濃度の液状排泄物の存在に直面している。濡れ縁部の外側（outboard side）では、可視湿潤度インジケータは、可視湿潤度インジケータが可視状態を変化させるのに十分な濃度の液状排泄物の存在にまだ直面していない。
【００７３】
図３Ｃは、図３Ｂのインジケータの表示の後続状態を示しており、一次可視充満度インジケータ３３０の一部分が初期可視状態から後続可視状態へと変化し、かつ第１の二次可視湿潤度インジケータ３４０の一部分が初期可視状態から後続可視状態へと変化して、吸収性物品３００の充満度を表している。図３Ｃでは、液状排泄物は、内側末端部３３２から一次可視充満度インジケータ３３０の一部分を通って、及び内側末端部３４２から第１の二次可視湿潤度インジケータ３４０の一部を通って濡れ縁部３５７Ｃまで可視状態を変化させるのに十分な濃度で、吸収性物品３００の吸収性コアの一部分を通過している。
【００７４】
図３Ｄは、図３Ｃのインジケータの表示の後続状態を示しており、一次可視充満度インジケータ３３０の全てが初期可視状態から後続可視状態へと変化し、第１の二次可視湿潤度インジケータ３４０の全てが初期可視状態から後続可視状態へと変化し、かつ第２の二次可視湿潤度インジケータ３５０の一部分が初期可視状態から後続可視状態へと変化して、吸収性物品３００の充満度を表している。図３Ｄでは、液状排泄物は、内側末端部３４２から第１の二次可視湿潤度インジケータ３４０の全てを通って外側末端部３４３まで、及び内側末端部３５２から第２の二次可視湿潤度インジケータ３５０の一部を通って濡れ縁部３５７Ｄまで可視状態を変化させるのに十分な濃度で、吸収性物品３００の吸収性コアの一部分を通過している。
【００７５】
図３Ｅは、図３Ｄのインジケータの表示の後続状態を示しており、一次可視充満度インジケータ３３０の全てが初期可視状態から後続可視状態へと変化し、第１の二次可視湿潤度インジケータ３４０の全てが初期可視状態から後続可視状態へと変化し、かつ第２の二次可視湿潤度インジケータ３５０の全てが初期可視状態から後続可視状態へと変化して、吸収性物品３００の充満度を表している。図３Ｅでは、液状排泄物は、内側末端部３３２から一次可視充満度インジケータ３３０の全てを通って外側末端部３３３まで、内側末端部３４２から第１の二次可視湿潤度インジケータ３４０の全てを通って外側末端部３４３まで、及び内側末端部３５２から第２の二次可視湿潤度インジケータ３５０の全てを通って外側末端部３５３にある濡れ縁部３５７Ｅまで可視状態を変化させるのに十分な濃度で、吸収性物品３００の吸収性コアの一部分を通過している。
【００７６】
図３Ｆは、図３Ｅのインジケータの表示の後続状態を示しており、一次可視充満度インジケータ３３０の全てが初期可視状態から後続可視状態へと変化し、第１の二次可視湿潤度インジケータ３４０の全てが初期可視状態から後続可視状態へと変化し、第２の二次可視湿潤度インジケータ３５０の全てが初期可視状態から後続可視状態へと変化し、かつ第３の二次可視湿潤度インジケータ３６０の一部分が初期可視状態から後続可視状態へと変化して、吸収性物品３００の充満度を表している。図３Ｆでは、液状排泄物は、内側末端部３３２から一次可視充満度インジケータ３３０の全てを通って外側末端部３３３まで、内側末端部３４２から第１の二次可視湿潤度インジケータ３４０の全てを通って外側末端部３４３まで、内側末端部３５２から第２の二次可視湿潤度インジケータ３５０の全てを通って外側末端部３５３まで、及び内側末端部３６２から第３の二次可視湿潤度インジケータ３６０の一部分を通って濡れ縁部３５７Ｆまで可視状態を変化させるのに十分な濃度で、吸収性物品３００の吸収性コアの一部分を通過している。
【００７７】
図３Ｇは、図３Ｆのインジケータの表示の後続状態を示しており、一次可視充満度インジケータ３３０の全てが初期可視状態から後続可視状態へと変化し、第１の二次可視湿潤度インジケータ３４０の全てが初期可視状態から後続可視状態へと変化し、第２の二次可視湿潤度インジケータ３５０の全てが初期可視状態から後続可視状態へと変化し、かつ第３の二次可視湿潤度インジケータ３６０の全ては初期可視状態から後続可視状態へと変化して、吸収性物品３００の充満度を表している。図３Ｆでは、液状排泄物は、内側末端部３３２から一次可視充満度インジケータ３３０の全てを通って外側末端部３３３まで、内側末端部３４２から第１の二次可視湿潤度インジケータ３４０の全てを通って外側末端部３４３まで、内側末端部３５２から第２の二次可視湿潤度インジケータ３５０の全てを通って外側末端部３５３まで、及び内側末端部３６２から第３の二次可視湿潤度インジケータ３６０の全てを通って外側末端部３６３にある濡れ縁部３５７Ｆまで可視状態を変化させるのに十分な濃度で、吸収性物品３００の吸収性コアの一部分を通過している。
【００７８】
全体として、図３Ｂ〜図３Ｇは、液状排泄物が吸収性物品３００を充満させた程度を表すために、インジケータ３３０、３４０、３５０、及び３６０が液状排泄物の存在下で可視状態を漸次及び順番に変化させることができることを示している。充満度を表すのに加えて、本開示の実施形態では、可視充満度表示システムの可視状態のこのような変化は、吸収性物品の残存吸収能力を表すシグナルとして及び／又は吸収性物品が漏れを起こすかもしれないリスクを表すシグナルとしても理解され得る。
【００７９】
本開示のインジケータの適切な特定位置及び向き、並びに具体的な寸法及びその他の物理的特性は、特定の吸収性物品の充満度の程度、残存収容力、及び／又は漏れリスクを表す可視状態変化シグナルをインジケータが提供するように選択され得る。種々の実施形態において、吸収性物品は、可視状態の変化シグナルを、充満度、収容力、及び／又は漏れリスクと相関させるしるしを含むこともできる。
【００８０】
一次可視充満度インジケータ及び二次可視湿潤度インジケータの位置は、物品を交換すべき時期をユーザーが理解するのを可能にする。二次可視湿潤度インジケータは、物品がこれ以上の期間着用されたままにされると物品の漏れの可能性が高くなることをユーザーが理解することができるように、一次可視充満度インジケータを基準にして位置決めされ得る。吸収性物品は、吸収性コアが完全利用に近づくと、例えば、その収容力の大部分が使用されると、漏れる可能性が高くなる。吸収性物品が着用されているとき、着用者は、着用者の身体の特定位置から排泄物（特に尿）を出す。排泄物は吸収性コアによって吸収される。ユーザーが製品に負荷を与える位置の近くのコアが最初に充満する傾向があり、負荷位置に近い部分が飽和状態に達し始めると、次に、負荷点から遠くへ遠くへと充満し始める。これが生じると、一次可視充満度インジケータは、コアのその部分に排泄物が存在することを表すために、可視状態を変化させる。排泄物がコア全体に広がると、一次可視充満度インジケータは、その長さに沿って漸次可視状態を変化させる。
【００８１】
コアがほぼ充満状態になった時点で（収容力の大部分が利用された時点で）、吸収性コアは、もはや排泄物の更なる襲撃（insult）を貯蔵する能力がない可能性がある。この時点で、物品から排出物が漏れるリスクが増加する。１つ以上の二次可視湿潤度インジケータは、この更なる漏れのリスクを表すために物品内に位置付けられることができ、これによりユーザーに製品を交換するよう促すことができる。
【００８２】
二次可視湿潤度インジケータは、次の原理を考慮に入れて吸収性物品内に位置付けられることができる。第１に、二次可視湿潤度インジケータの内側末端部は、物品の典型的な使用において排出物が貯蔵される可能性が低い物品の部分内に位置付けられることができる。そのような位置には、（ａ）吸収性コアの、獲得層又は分配層から遠い部分、（ｂ）吸収性コアの、排泄物の供給源から遠い部分、及び（ｃ）吸収性コアの、比較的低い貯蔵能力を有する部分、を挙げることができる。第２に、二次可視湿潤度インジケータの内側末端部は、物品の「飽和度が低い」部分（例えば、通常の使用において、物品の負荷ゾーンに隣接するコアの部分ほど飽和度が高くならないコアの部分）内に位置付けられることができる。
【００８３】
更に、一部の実施形態では、吸収性物品の使用説明書は、可視状態の変化シグナルと、充満度、収容力、及び／又は漏れリスクとの間の相関関係を説明することができる。例えば、そのような使用説明書は、吸収性物品のパッケージ上に、又は吸収性物品に付随する印刷物に提供され得る。更に、可視状態の変化シグナルと、充満度、収容力、及び／又は漏れリスクとの間の相関関係は、種々の広告媒体を介して伝えられることができる。
【００８４】
本開示の各可視充満度インジケータに関し、中にインジケータが含まれている吸収性物品の充満度の程度、残存収容力、及び／又は漏れリスクを表す可視シグナルを提供するように、内側末端部及び外側末端部の位置を選択することができる。
【００８５】
第１の例として、種々の実施形態において、一次可視充満度インジケータの内側末端部は、吸収性物品が次の（ａ）、（ｂ）、及び／又は（ｃ）を有していることをこの内側末端部（即ち、この内側末端部に近接する濡れ縁部）における可視状態の変化が表すように、特定の位置に配置され得る：（ａ）約２５％、３０％、３５％、４０％、４５％、５０％、５５％、６０％、６５％、７０％、７５％、８０％、８５％、又はこれらの値のいずれかの間の任意の整数百分率、又はこれらの値のいずれかを用いた任意の範囲内の充満度；（ｂ）約７５％、７０％、６５％、６０％、５５％、５０％、４５％、４０％、３５％、３０％、２５％、２０％、１５％、又はこれらの値のいずれかの間の任意の整数百分率、又はこれらの値のいずれかを用いた任意の範囲内の残存収容力；及び／あるいは（ｃ）０％、５％、１０％、１５％、２０％、２５％、３０％、３５％、４０％、４５％、５０％、５５％、６０％、６５％、７０％、７５％、８０％、８５％を超える、又はこれらの値のいずれかの間の任意の整数百分率、又はこれらの値のいずれかを用いた任意の範囲内の漏れリスク。本明細書で使用するとき、用語「漏れリスク」は、おむつが適当なサイズの着用者により適切に着用されている間に、液状排泄物がおむつから漏出する確率を指し、この確率は、適当なサイズの十分な人数の着用者によって使用される十分な数のおむつにおいて測定される。例えば、おむつの漏れの確率を判定するために、少なくとも１００人のユーザーが少なくとも５日間に相当する量のおむつを使用すべきである。
【００８６】
一次可視充満度インジケータの内側末端部は、吸収性物品内の次の位置のいずれかに配置され得る：獲得層の外側縁部に対して８０ｍｍ、７０ｍｍ、６０ｍｍ、５０ｍｍ、４０ｍｍ、３０ｍｍ、２０ｍｍ、１０ｍｍ、又は５ｍｍ内側；獲得層の外側縁部；分配層の外側縁部に対して８０ｍｍ、７０ｍｍ、６０ｍｍ、５０ｍｍ、４０ｍｍ、３５ｍｍ、３０ｍｍ、２５ｍｍ、２０ｍｍ、１５ｍｍ、１０ｍｍ、又は５ｍｍ内側；分配層の外側縁部；吸収性コアの外側縁部に対して１４０ｍｍ、１３０ｍｍ、１２０ｍｍ、１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、１０ｍｍ、又は５ｍｍ内側；あるいは吸収性コアの外側縁部。一次可視充満度インジケータの内側末端部はまた、吸収性物品内のこれらの値のいずれかの間の任意の整数ｍｍの位置、又はこれらの値のいずれかを用いた任意の範囲内に配置されることもできる。
【００８７】
第２の例として、種々の実施形態において、一次可視充満度インジケータの外側末端部は、吸収性物品が次の（ａ）、（ｂ）、及び／又は（ｃ）を有していることをこの外側末端部（即ち、この外側末端部に近接する濡れ縁部）における可視状態の変化が表すように、特定の位置に配置され得る：（ａ）３０％、３５％、４０％、４５％、５０％、５５％、６０％、６５％、７０％、７５％、８０％、８５％、９０％、又はこれらの値のいずれかの間の任意の整数百分率、又はこれらの値のいずれかを用いた任意の範囲内の充満度；（ｂ）７０％、６５％、６０％、５５％、５０％、４５％、４０％、３５％、３０％、２５％、２０％、１５％、１０％、又はこれらの値のいずれかの間の任意の整数百分率、又はこれらの値のいずれかを用いた任意の範囲内の残存収容力；及び／あるいは（ｃ）３０％、３５％、４０％、４５％、５０％、５５％、６０％、６５％、７０％、７５％、８０％、８５％、９０％、又はこれらの値のいずれかの間の任意の整数百分率、又はこれらの値のいずれかを用いた任意の範囲内の漏れリスク。
【００８８】
一次可視充満度インジケータの外側末端部は、吸収性物品内の次の位置のいずれかに配置され得る：獲得層の外側縁部に対して７０ｍｍ、６０ｍｍ、５０ｍｍ、４０ｍｍ、３０ｍｍ、２０ｍｍ、１０ｍｍ、又は５ｍｍ内側；獲得層の外側縁部；獲得層の外側縁部；獲得層の外側縁部より５ｍｍ又は１０ｍｍ外側；分配層の外側縁部に対して７０ｍｍ、６０ｍｍ、５０ｍｍ、４０ｍｍ、３０ｍｍ、２５ｍｍ、２０ｍｍ、１５ｍｍ、１０ｍｍ、又は５ｍｍ内側；分配層の外側縁部；分配層の外側縁部より５ｍｍ又は１０ｍｍ外側；吸収性コアの外側縁部に対して１３０ｍｍ、１２０ｍｍ、１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、１０ｍｍ、又は５ｍｍ内側；吸収性コアの外側縁部；あるいは吸収性コアの外側縁部より５ｍｍ又は１０ｍｍ外側。一次可視充満度インジケータの外側末端部はまた、吸収性物品内のこれらの値のいずれかの間の任意の整数ｍｍの位置、又はこれらの値のいずれかを用いた任意の範囲内に配置されることもできる。
【００８９】
第３の例として、種々の実施形態において、二次可視湿潤度インジケータの内側末端部は、吸収性物品が次の（ａ）、（ｂ）、及び／又は（ｃ）を有していることをこの内側末端部（即ち、この内側末端部に近接する濡れ縁部）における可視状態の変化が表すように、特定の位置に配置され得る：（ａ）５０％、５５％、６０％、６５％、７０％、７５％、８０％、８５％、９０％、９５％、又はこれらの値のいずれかの間の任意の整数百分率、又はこれらの値のいずれかを用いた任意の範囲内の充満度；（ｂ）５０％、４５％、４０％、３５％、３０％、２５％、２０％、１５％、１０％、５％、又はこれらの値のいずれかの間の任意の整数百分率、又はこれらの値のいずれかを用いた任意の範囲内の残存収容力；及び／あるいは（ｃ）１０％、２０％、３０％、４０％、５０％、６０％、７０％、８０％、９０％、又はこれらの値のいずれかの間の任意の整数百分率、又はこれらの値のいずれかを用いた任意の範囲内の漏れリスク。
【００９０】
二次可視湿潤度インジケータの内側末端部における可視状態の変化は、一次可視充満度インジケータの外側末端部における可視状態の変化によって表わされる充満度未満の、又はこれに等しい、又はこれを超える充満度を表し得る。二次可視湿潤度インジケータの内側末端部における可視状態の変化は、一次可視充満度インジケータの外側末端部における可視状態の変化によって表わされる残存収容力を超える、又はこれに等しい、又はこれ未満の残存収容力を表し得る。二次可視湿潤度インジケータの内側末端部における可視状態の変化は、一次可視充満度インジケータの外側末端部における可視状態の変化によって表わされる漏れリスクを超える、又はこれに等しい、又はこれ未満の漏れリスクを表し得る。
【００９１】
第４の例として、種々の実施形態において、二次可視湿潤度インジケータの外側末端部は、吸収性物品が次の（ａ）、（ｂ）、及び／又は（ｃ）を有していることをこの外側末端部（即ち、この外側末端部に近接する濡れ縁部）における可視状態の変化が表すように、特定の位置に配置され得る：（ａ）５５％、６０％、６５％、７０％、７５％、８０％、８５％、９０％、９５％、約１００％、又はこれらの値のいずれかの間の任意の整数百分率、又はこれらの値のいずれかを用いた任意の範囲内の充満度；（ｂ）４５％、４０％、３５％、３０％、２５％、２０％、１５％、１０％、５％、約０％、又はこれらの値のいずれかの間の任意の整数百分率、又はこれらの値のいずれかを用いた任意の範囲内の残存収容力；及び／あるいは（ｃ）２０％、３０％、４０％、５０％、６０％、７０％、８０％、９０％、約１００％、又はこれらの値のいずれかの間の任意の整数百分率、又はこれらの値のいずれかを用いた任意の範囲内の漏れリスク。
【００９２】
上記の４つの例示の実施形態のいずれかを、任意の実行可能な組み合わせで、本開示の任意の関連実施形態に適用することができることが想到される。可視充満度インジケータはまた、図４の実施形態に関連して記載のように吸収性物品内に位置付けられることができる。
【００９３】
図４は、平面に展開されたパンツ型使い捨て着用可能吸収性物品４００の内部の平面図を示す。当業者には理解されるように、図４の実施形態における要素の位置を、前側締結可能な使い捨て着用可能吸収性物品の実施形態に適用することも可能である。使い捨て着用可能吸収性物品４００は、前側４０１と、後側４０５と、獲得層４２２と、分配層４２４と、吸収性コア４２６とを含む。使い捨て着用可能吸収性物品４００はまた、長手方向中心線４１３と横方向中心線４１６とを含み、これは、横方向外側４１１、横方向内側４１２、長手方向外側４１４、及び長手方向内側４１５の相対方向のための基準線を提供する。
【００９４】
使い捨て着用可能吸収性物品４００は、様々な例示的な位置及び配向で、前側４０１の多数の二次可視湿潤度インジケータ４４１と、後側４０５の多数の二次可視湿潤度インジケータ４４５とを含む。本開示の二次可視湿潤度インジケータのいずれかは、二次可視湿潤度インジケータ４４１又は４４５のいずれかが図４で位置付けられる及び／又は配向されるように、位置付けられる及び／又は配向されることができる。
【００９５】
図４の実施形態は、様々な二次可視湿潤度インジケータ４４１を示しており、内側末端部は、獲得層４２２の長手方向外側縁部に対して長手方向内側に、獲得層４２２の長手方向外側縁部に、及び獲得層４２２の長手方向外側縁部から長手方向外側に配置されている。二次可視湿潤度インジケータの内側末端部は、吸収性物品内の次の位置のいずれかに配置され得る：獲得層の外側縁部に対して７５ｍｍ、７０ｍｍ、６０ｍｍ、５０ｍｍ、４０ｍｍ、３０ｍｍ、２０ｍｍ、１０ｍｍ、又は５ｍｍ内側；獲得層の外側縁部；あるいは獲得層の外側縁部より５ｍｍ、１０ｍｍ、又は２０ｍｍ外側。二次可視湿潤度インジケータの内側末端部はまた、吸収性物品内のこれらの値のいずれかの間の任意の整数ｍｍの位置、又はこれらの値のいずれかを用いた任意の範囲内に配置されることもできる。
【００９６】
図４の実施形態はまた、様々な二次可視湿潤度インジケータ４４１を示しており、内側末端部は、分配層４２４の長手方向外側縁部に対して長手方向内側に、分配層４２４の長手方向外側縁部に、及び獲得層４２４の長手方向外側縁部から長手方向外側に配置されている。二次可視湿潤度インジケータの内側末端部は、吸収性物品内の次の位置のいずれかに配置され得る：分配層の外側縁部に対して７５ｍｍ、７０ｍｍ、６６０ｍｍ、５０ｍｍ、４０ｍｍ、３０ｍｍ、２５ｍｍ、２０ｍｍ、１５ｍｍ、１０ｍｍ、又は５ｍｍ内側；分配層の外側縁部；あるいは分配層の外側縁部より５ｍｍ、１０ｍｍ、又は２０ｍｍ外側。二次可視湿潤度インジケータの内側末端部はまた、吸収性物品内のこれらの値のいずれかの間の任意の整数ｍｍの位置、又はこれらの値のいずれかを用いた任意の範囲内に配置されることもできる。
【００９７】
図４の実施形態は、様々な二次可視湿潤度インジケータ４４１を更に示しており、内側末端部は、吸収性コア４２６の長手方向外側縁部に対して長手方向内側に、吸収性コア４２６の長手方向外側縁部に、及び吸収性コア４２６の長手方向外側縁部から長手方向外側に配置されている。二次可視湿潤度インジケータの内側末端部は、吸収性物品内の次の位置のいずれかに配置され得る：吸収性コアの外側縁部に対して１２０ｍｍ、１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、又は１０ｍｍ内側；吸収性コアの外側縁部；あるいは吸収性コアの外側縁部より５ｍｍ、１０ｍｍ、又は２０ｍｍ外側。二次可視湿潤度インジケータの内側末端部はまた、吸収性物品内のこれらの値のいずれかの間の任意の整数ｍｍの位置、又はこれらの値のいずれかを用いた任意の範囲内に配置されることもできる。
【００９８】
種々の実施形態において、物品の後側に配置される二次可視湿潤度インジケータは、物品の前側に配置される吸収性コアの長手方向外側縁部を基準にして配置される内側末端部を有することができる。このように、二次可視表示シグナルは、着用者によって液状排泄物が物品にもたらされる物品の前側／中心点を基準に構成されることができる。例として、二次可視湿潤度インジケータは物品の後側に配置されることができ、インジケータの内側末端部は、物品の前側に配置された吸収性コアの長手方向外側縁部から２７５ｍｍ、２７０ｍｍ、２６０ｍｍ、２５０ｍｍ、２４０ｍｍ、２３０ｍｍ、２２０ｍｍ、２１０ｍｍ、２００ｍｍ、１９０ｍｍ、１８０ｍｍ、１７０ｍｍ、１６０ｍｍ、又は１５０ｍｍの距離に配置される。二次可視湿潤度インジケータの内側末端部はまた、吸収性物品内のこれらの値のいずれかの間の任意の整数ｍｍの位置、又はこれらの値のいずれかを用いた任意の範囲内に配置されることもできる。
【００９９】
二次可視湿潤度インジケータの外側末端部は、吸収性物品内の次の位置のいずれかに配置され得る：獲得層の外側縁部に対して５０ｍｍ、４０ｍｍ、３０ｍｍ、２０ｍｍ、１０ｍｍ、又は５ｍｍ内側；獲得層の外側縁部；獲得層の外側縁部より５ｍｍ、１０ｍｍ、２０ｍｍ、又は３０ｍｍ外側；分配層の外側縁部に対して５０ｍｍ、４０ｍｍ、３０ｍｍ、２５ｍｍ、２０ｍｍ、１５ｍｍ、１０ｍｍ、又は５ｍｍ内側；分配層の外側縁部；分配層の外側縁部より５ｍｍ、１０ｍｍ、２０ｍｍ、又は３０ｍｍ外側；吸収性コアの外側縁部に対して１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、又は１０ｍｍ内側；吸収性コアの外側縁部；あるいは吸収性コアの外側縁部より５ｍｍ、１０ｍｍ、２０ｍｍ、又は３０ｍｍ外側。二次可視湿潤度インジケータの外側末端部はまた、吸収性物品内のこれらの値のいずれかの間の任意の整数ｍｍの位置、又はこれらの値のいずれかを用いた任意の範囲内に配置されることもできる。
【０１００】
二次可視湿潤度インジケータ４４１のいずれかは、長手方向中心線４１３上に、長手方向中心線４１３に近接して、長手方向中心線４１３から横方向にオフセットして、又は他の何らかの横方向の位置に配置されることができる。前部４０１に配置される二次可視湿潤度インジケータ４４１のこれらの位置及び配向は、後側４０５に配置される二次可視湿潤度インジケータにも同様に適用され得る。
【０１０１】
図４の実施形態は、様々な二次可視湿潤度インジケータ４４５を示しており、内側末端部は、獲得層４２２の横方向外側縁部に対して横方向内側に、獲得層４２２の横方向外側縁部に、獲得層４２２の横方向外側縁部から横方向外側に、分配層４２４の横方向外側縁部に対して横方向内側に、分配層４２４の横方向外側縁部に、獲得層４２４の横方向外側縁部から横方向外側に、吸収性コア４２６の横方向外側縁部に対して横方向内側に、吸収性コア４２６の横方向外側縁部に、又は吸収性コア４２６の横方向外側縁部から横方向外側に配置されている。二次可視湿潤度インジケータ４４５のいずれかは、横方向中心線４１６上に、横方向中心線４１６に近接して、横方向中心線４１６から長手方向にオフセットして、又は他の何らかの長手方向の位置に配置されることができる。前部４０５に配置される二次可視湿潤度インジケータ４４５のこれらの位置及び配向は、前部４０１に配置される二次可視湿潤度インジケータにも同様に適用され得る。
【０１０２】
二次可視湿潤度インジケータ４４１及び４４５のいずれかを、任意の実行可能な組み合わせで、本開示の任意の関連実施形態に適用することができることが想到される。
【０１０３】
二次可視湿潤度インジケータの使い捨て着用可能吸収性物品内における位置及び配向は、種々の方法で選択され得る。二次可視湿潤度インジケータは、漏れリスクを表す二次表示シグナルを提供することができるので、二次可視湿潤度インジケータを、物品が漏れることが予想される時点の比較的近くであるがその前の時点に吸収性コアが飽和状態に達する物品の一領域内に位置付けることができる。典型的には、製造業者は、物品が消費者にとって手頃な価格であるようにするために、未使用の吸収性材料の量を低減すべく吸収性物品を設計する。したがって、二次可視湿潤度インジケータは、尿の襲撃の大部分を受容することが見込まれる領域の近くではなく、物品の吸収性コアの外側縁部に有意に近い領域内に位置付けられることができる。
【０１０４】
一部の実施形態では、二次可視湿潤度インジケータは、物品の吸収性コアの吸収能力の位置、又はプロファイルに基づいて、吸収性物品内に位置付けられることができる。ティーバッグ遠心能力テスト、つまりＴＣＣテスト（米国特許第６，２７８，０３７号に記載）を用いて、吸収性コア、吸収性コアの一部分、又は吸収性コア材料の収容力を判定することができる。吸収性コアの一部分をＴＣＣテストに供することができる。例えば、コアを、二次可視湿潤度インジケータの内側縁部に対応する位置で、吸収性物品の横方向中心線に対して平行に切断し、その後ＴＣＣテストに供することができる。
【０１０５】
吸収性物品が１つを超える二次可視湿潤度インジケータを含み、各二次可視湿潤度インジケータが物品の異なる長手方向位置に位置付けられている場合は、各インジケータから長手方向外側のコア部分の収容力を個別に評価する。例えば、一連のサンプルを、第１の二次可視湿潤度インジケータの外側の収容力に関して評価し、次に、別の一連のサンプルを、追加の二次可視湿潤度インジケータそれぞれに関して評価する。更に、この方法は、米国特許第６，２７８，０３７号に記載のように実施される。吸収性コアが典型的には０．２００グラム超の重さであることを前提として、総収容力及び二次可視湿潤度インジケータの長手方向外側の収容力は、複数のティーバッグを準備して決定されることに特に注目すべきである。吸収性コアの総収容力、二次可視湿潤度インジケータの長手方向外側部分の収容力、及び二次可視湿潤度インジケータの長手方向外側に位置付けられる収容率は、以下のように判定される。
【０１０６】
第１に、総収容力、及び二次可視湿潤度インジケータの長手方向外側部分の収容力を測定するのに必要なだけ、ティーバッグサンプルを準備する。米国特許第６，２７８，０３７号に概説されているようにそれらをテストする。コア材料を含む個々のティーバッグそれぞれの空のティーバッグをテストする。第２に、評価される各部分の収容力を判定する。この部分の収容力は、遠心分離機にかけた後のサンプルティーバッグの全重量の合計から、遠心分離機にかけた後の空のティーバッグの全重量の合計を引き、そこから吸収性材料の全乾燥重量の合計を引いたものに等しい。第３に、二次可視湿潤度インジケータの長手方向外側の総収容率を算出する。この総収容率は、二次可視湿潤度インジケータから長手方向外側の吸収性コアの収容力をコアの全収容力で割ったものの１００倍に等しい。少なくとも３つのサンプルに対してこのテストを繰り返し、その結果を平均として報告する。
【０１０７】
二次可視湿潤度インジケータは、インジケータの内側縁部より外側に位置する吸収性コアの部分の収容力が、ＴＣＣテストにより０．９％食塩水２０グラム未満となり得るように、吸収性物品内に位置付けられることもできる。一部の実施形態では、二次可視湿潤度インジケータは、インジケータの内側縁部より外側に位置する吸収性コアの部分の収容力が、ＴＣＣテストにより０．９％食塩水３０グラム未満、５０グラム未満、１００グラム未満、又はこれらの値のいずれかの間の任意の整数グラム、又は上記割合のいずれかによって規定される範囲内となり得るように、吸収性物品内に位置付けられることができる。
【０１０８】
二次可視湿潤度インジケータは、相対漏れリスクを表す可視シグナルを提供することができるので、漏れが予想され得る負荷の直前にインジケータをトリガするように吸収性コアが十分に飽和する吸収性物品の一領域内に二次可視湿潤度インジケータを位置付けることができる。湿潤度インジケータは、典型的には、インジケータの可視状態の変化をトリガするために、ある最小量（Ｃｍｉｎ（又は最低濃度））の遊離した又は利用可能な水性流体を必要とする。吸収性物品の場合、この流体は尿などの液状排泄物である。多くの吸収性物品は、コアと接触している湿潤度インジケータをトリガするのに十分な濃度の遊離流体を提供しない少量の流体、即ち、Ｃｍｉｎを、中圧（例えば、物品の通常使用中に経験することが見込まれる圧力、例えば３．４ｋＰａ（０．５ｐｓｉ））下で吸収しかつ保持する吸収性コアを含む。流体負荷が十分になると、吸収性コアは通常、有意な濃度、例えばＣｍｉｎで遊離流体を放出して、コアと接触している湿潤度インジケータが可視状態を変化させるのを可能にする。
【０１０９】
所与のコア構造は、接触している湿潤度インジケータにＣｍｉｎ遊離流体を与える前に、所与の量の流体を吸収することが可能である。中圧下でＣｍｉｎ流体がコアから入手可能になる（又は「搾り出される」）前にコアによって吸収される流体の量、即ち、負荷は、その構造に左右される。所与の種類又は割合のコア材料では、コア又はコアの一部分のティーバッグ遠心能（ＴＣＣ）が高いほど、一般に、コアからＣｍｉｎ流体が入手可能になるの前のコア負荷は高い可能性がある。特定のコア材料は、例えば、より高い圧力下で、流体をよりしっかりと保持する。例えば、当該技術分野において既知の超吸収性ポリマーは、より高い圧力下で、エアフェルト又は他のセルロース系材料若しくは発泡材料よりも多くの流体を保持することができる。したがって、超吸収性ポリマー、又は同様の流体の圧力下保持挙動を有するその他の材料の濃度が高いほど、Ｃｍｉｎ遊離流体が入手可能になる前のコアにおける流体負荷が高くなる。多くの好適なコア及び目的の好適な湿潤度インジケータのＣｍｉｎは、約０．２ｍＬ／ｃｍ２〜０．３５ｍＬ／ｃｍ２の範囲である。二次可視湿潤度インジケータを設置する場所を決定するために、吸収性コアの飽和度を使用済み吸収性物品内の位置に応じて決定することができる。これを決定する好適な方法は、二次インジケータを位置付けるための方法の工程１〜８に記載されており、使用済み吸収性物品を収集し、吸収性コアを採取し、コアの飽和度（コア１ｃｍ２あたりのコアに保持された尿のｍＬ）をコアの前側縁部からの距離に応じて決定することによってなされる。コアの前側縁部からの距離に対するコアの飽和度をＹ軸にプロットして、負荷プロファイル、例えば図５Ａに示される代表的な負荷プロファイルを得る。
【０１１０】
図５Ａでは、上記方法に記載のように、横軸はおむつコアの長手方向寸法を表し、縦軸はおむつコア中の液体濃度を、面積あたりの液体体積を単位として表す。吸収性コアの前側縁部を５６０とし、吸収性コアの後側縁部を５７０とする。負荷プロファイルは、おむつの長手方向寸法に沿って変化する。横線としてプロットされたＣｍｉｎ  ５５０が示されている。負荷プロファイル５７１とＣｍｉｎ線５５０との交点は、前側飽和閾値点５５４及び後側飽和閾値点５５５と指定されている。おむつコアの長さに沿った長手方向の位置を表す前側飽和閾値位置５７９及び後側飽和閾値位置５８０を示すために、交点５５４及び５５５から横軸まで縦線が引かれている。前側及び後側飽和閾値位置５７９及び５８０は、Ｃｍｉｎ値０．２０、０．２５、０．３０、及び０．３５ｍＬ／ｃｍ２に対して決定される。
【０１１１】
好ましい実施形態では、二次可視インジケータの内側末端部は、二次インジケータを位置付けるための方法において以下に記載されるように位置付けられる。
【０１１２】
二次インジケータを位置付けるための方法
本方法は、図６及び図７に図示される例示の実施形態、及び以下で参照される表に関して記載される。
【０１１３】
１．図６に示すように、吸収性コア６００を吸収性物品から分離し、所望のサイズ及び解像度によって決定されるＳ１−１〜Ｓｎ−ｎの多数の区画に分割する。
【０１１４】
２．長手方向切断部６２２及び横方向切断部６１２を形成することによって吸収性コア６００を区画に分割する。一例として、図６に示すように、吸収性コアを、長手方向に１４区画に分割することができ、かつ横方向に４区画に分割することができる。各区画に関して、Ａ１−１〜Ａｎ−ｎとして定義される領域を決定する。表１Ａは、サンプル吸収性コア６００の区画に関する例示の面積データを示している。
【表１】
2012513843.tif 000003
【０１１５】
３．吸収性コアの各区画に関し、乾燥重量（負荷のない重量）を決定し、一覧にする。乾燥重量はＷｄｒｙ１−１〜Ｗｄｒｙｎ−ｎとして定義される。これは、各区画を０．００グラム精度を有する適正なバランスで坪量することによって行うことができる。少なくとも１０個の未使用の物品に対してこのプロセスを繰り返し、その平均をとる。
【０１１６】
４．ユーザーが数個の吸収性物品を使用し、各ユーザーが使用した各物品に関して吸収性物品が漏れたか否かに関するデータを含むデータを取得した使用試験から、使用済みの吸収性物品を入手する。使用試験は、少なくとも１００人のユーザーが少なくとも５日間にわたって使用した吸収性物品を含むべきである。
【０１１７】
５．各使用済みの吸収性物品に関し、物品の残りの部分から吸収性コアを分離し、この吸収性コアを、表１Ａに示されるのと同じ面積を有するＳ１−１〜Ｓｎ−ｎまでの区画数に分割する。
【０１１８】
６．吸収性コアの各区画に関し、湿潤重量（排泄物からの重量負荷）を決定し、一覧にする。これらの湿潤重量は、Ｗｗｅｔ１−１〜Ｗｗｅｔｎ−ｎとして定義される。
【０１１９】
７．吸収性コアの各区画に関し、湿潤重量Ｗｗｅｔから乾燥重量Ｗｄｒｙを差し引くことにより負荷を決定する。区画あたりの負荷を算出するための式は次の通りである：Ｗｌｏａｄ＝Ｗｗｅｔ−Ｗｄｒｙ。負荷は、Ｗｌｏａｄ１−１〜Ｗｌｏａｄｎ−ｎとして定義される。表１Ｂは、サンプル吸収性コア６００の区画に関する例示の負荷データを示す（水１グラムは約１ミリリットルであるので、データはミリリットル（ｍＬ）で示されている）。同様に、吸収性コア全体に関する負荷を決定する。
【表２】
2012513843.tif 000004
【０１２０】
８．吸収性コア６００の各区画に関し、負荷を面積で割って排泄物の濃度を決定し、一覧にする。区画あたりの濃度を算出するための式は次の通りである：Ｃ＝Ｗｌｏａｄ／Ａ。表１Ｃは、サンプル吸収性コア６００の区画に関する例示の濃度データを示している。
【表３】
2012513843.tif 000005
【０１２１】
９．二次インジケータが位置付けられることになる領域において、二次インジケータをトリガするであろう液状排泄物の最低濃度Ｃｍｉｎを上回る排泄物濃度（Ｃｍｉｎ）を有する区画を決定する。提供される例では、最低濃度が０．３０ｍＬ／ｃｍ２であり、二次インジケータが位置付けられることになる領域が縦列２の区画と一致する場合は、Ｃｍｉｎを上回る排泄物濃度を有する区画は、区画Ｓ１−２〜Ｓ１１−２である。これらの区画の長さを、物品の横方向中心線などの基準点と関連させて決定し、記録する。
【０１２２】
１０．工程４で入手した使用済みの吸収性物品全てに関して工程５〜９を繰り返す。表１Ｄは、サンプル吸収性コア６００の区画の例示の長さデータを示す。吸収性物品のそれぞれに関し、長さ（工程９）、及び物品が漏れたか否か（工程４）と相関させた吸収性コア全体の負荷（工程７）を一覧にする。表１Ｄは、２７個の例示の吸収性物品に関するこのデータを示す。
【表４】
2012513843.tif 000006
【０１２３】
非線形ロジスティック回帰を用いてこのデータをモデリングして、長さ測定値に基づいて漏れ確率をモデリングする確率曲線を決定する。このモデリングのサンプルのグラフが図７に示されている。この確率曲線は、本明細書に記載の漏れリスクの確率のいずれに対しても使用可能である。
【０１２４】
１１．吸収性物品内の位置を漏れ確率と相関させるためにこの確率曲線を用いる。例えば、この確率曲線を用いて、吸収性物品内のＣｍｉｎの特定位置に該当する漏れ確率を決定することができる。その結果、特定位置に配置された二次インジケータからの表示シグナルに関して、様々な負荷の下での漏れ確率を決定することができる。別の例として、この確率曲線を使用して、特定の漏れ確率に該当する吸収性物品内の位置を決定することができる。その結果、様々な負荷の下での特定の漏れ確率を表すために、二次インジケータの位置が決定され得る。これらの手法は、本明細書に記載の二次湿潤度インジケータに関する任意の漏れリスクの確率及び任意の位置に対して用いられることができる。
【０１２５】
図７において、確率曲線７００は点７３１、７４１、及び７５１を含む。点７３１では、１０％漏れ確率７３０は約２８ｃｍの長さ７６０に該当する。点７４１では、３０％漏れ確率７４０は約３４ｃｍの長さ７６５に該当する。点７５１では、４０％漏れ確率７５０は約３５ｃｍの長さ７７０に該当する。
【０１２６】
図５Ｂは、プロファイル５７１と、前側コア縁部５６０と、後側コア縁部５７０とを有する図５Ａの吸収性コアを含むおむつ５００を示している。おむつ５００はまた、一次可視充満度インジケータ５３０と、二次可視湿潤度インジケータ５４１と、二次可視湿潤度インジケータ５４５とを含む。両方合わせて、一次可視充満度インジケータ５３０及び二次可視湿潤度インジケータ５４１は、可視充満度表示システムと考えることができる。また、一次可視充満度インジケータ５３０及び二次可視湿潤度インジケータ５４５は、両方合わせて、可視充満度表示システムと考えることができる。
【０１２７】
二次可視湿潤度インジケータ５４１は、インジケータの内側末端部が前側飽和閾値位置５７９に配置されるように、吸収性物品５００の前側内に位置付けられている。二次可視湿潤度インジケータ５４５は、インジケータの内側末端部が後側飽和閾値位置５８０に配置されるように、吸収性物品５００の後側内に位置付けられている。
【０１２８】
更に、本開示は、使い捨て着用可能吸収性物品などの吸収性物品が、本明細書に記載のように構成され、更に以下に記載のような様々な追加及び／又は代替構造及び／又は機能を有して構成される１つ以上の可視充満度インジケータを有することができることを想到する。
【０１２９】
本開示の１つ以上の実施形態は、参照によりそれぞれが本明細書に組み込まれる、代理人整理番号１１２１７Ｑにより識別される米国特許本出願第１２／３４６，４４５号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｃｏｌｏｒｓ」（２００８年１２月３０日出願）、及び／又は代理人整理番号１１２１７ＲＱにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｃｏｌｏｒｓ」（２００９年１２月２３日出願）の１つ以上の実施形態と組み合わせられることができる。一次及び二次表示を備える使い捨て着用可能吸収性物品は、複数の表示色を有することも可能である。
【０１３０】
本開示の１つ以上の実施形態は、参照によりそれぞれが本明細書に組み込まれる、代理人整理番号１１２１８Ｑにより識別される米国特許本出願第１２／３４６，４８１号、名称「Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｗｉｄｔｈｓ」（２００８年１２月３０日出願）、及び／又は代理人整理番号１１２１８ＲＱにより識別される米国特許本出願、名称「Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｗｉｄｔｈｓ」（２００９年１２月２３日出願）の１つ以上の実施形態と組み合わせられることができる。一次及び二次表示を備える使い捨て着用可能吸収性物品は、複数の表示幅を有することも可能である。
【０１３１】
本開示の１つ以上の実施形態は、参照によりそれぞれが本明細書に組み込まれる、代理人整理番号１１２１９により識別される米国特許本出願第１２／３４６，４９６号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃｉａ」（２００８年１２月３０日出願）、及び／又は代理人整理番号１１２１９Ｒにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃｉａ」（２００９年１２月２３日出願）の１つ以上の実施形態と組み合わせられることができる。一次及び二次表示を備える使い捨て着用可能吸収性物品は、一方の性に特化したしるしを有することも可能である。
【０１３２】
本開示の１つ以上の実施形態は、参照によりそれぞれが本明細書に組み込まれる、代理人整理番号１１２２０により識別される米国特許本出願第１２／３４６，５１０号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃａｔｉｎｇ」（２００８年１２月３０日出願）、及び／又は代理人整理番号１１２２０Ｒにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃａｔｉｎｇ」（２００９年１２月２３日出願）の１つ以上の実施形態と組み合わせられることができる。一次及び二次表示を備える使い捨て着用可能吸収性物品は、複数の表示色を有することも可能である。
【０１３３】
１つ以上の本開示の実施形態は、参照によりそれぞれが本明細書に組み込まれる、代理人整理番号１１２２１Ｑにより識別される米国特許本出願第１２／３４６，５２０号、名称「Ａｂｓｏｒｂｅｎｔ  Ａｒｔｉｃｌｅｓ  ｗｉｔｈ  Ｐａｔｔｅｒｎｓ  ｏｆ  Ｉｎｄｉｃａｔｉｎｇ」（２００８年１２月３０日出願）、及び／又は代理人整理番号１１２２１ＲＱにより識別される米国特許本出願、名称「Ａｂｓｏｒｂｅｎｔ  Ａｒｔｉｃｌｅｓ  ｗｉｔｈ  Ｐａｔｔｅｒｎｓ  ｏｆ  Ｉｎｄｉｃａｔｉｎｇ」（２００９年１２月２３日出願）の１つ以上の実施形態と組み合わせられることができる。一次及び二次表示を備える使い捨て着用可能吸収性物品は、表示のパターンを有することも可能である。
【０１３４】
本開示の１つ以上の実施形態は、参照によりそれぞれが本明細書に組み込まれる、代理人整理番号１１２２２Ｍ２Ｑにより識別される米国特許本出願、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃｉａ」（２００９年１２月２３日出願）の１つ以上の実施形態と組み合わせられることができる。一次及び二次表示を有する使い捨て着用可能吸収性物品は、第１及び第２のしるしを有することも可能である。
【０１３５】
本開示の吸収性物品は、一次可視充満度インジケータと二次可視湿潤度インジケータとを有するのでわかりやすい。一次可視充満度インジケータと二次可視湿潤度インジケータとを有する吸収性物品は、吸収性物品の充満度に関する確実性をもたらすのを助けることができる。物品がどの程度充満しているのかを知ることによって、着用者が物品の収容力を適切に利用した後で物品を交換することができる。同様に、物品がどの程度充満しているのかを知ることによって、漏れそうになる前に物品を交換することができる。
【０１３６】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【０１３７】
相互参照される又は関連するあらゆる特許又は出願を含め、本明細書において引用される全ての文献は、明示的に除外ないしは制限されない限り、参照によりその全体が本明細書に組み込まれる。いかなる文献の引用も、それが本明細書において開示され請求されるいずれかの発明に関する先行技術であること、又はそれが単独で若しくは他の任意の参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【０１３８】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１Ａ】
2012513843.tif 000007
【図１Ｂ】
2012513843.tif 000008
【図１Ｃ】
2012513843.tif 000009
【図２Ａ】
2012513843.tif 000010
【図２Ｂ】
2012513843.tif 000011
【図２Ｃ】
2012513843.tif 000012
【図３Ａ】
2012513843.tif 000013
【図３Ｂ】
2012513843.tif 000014
【図３Ｃ】
2012513843.tif 000015
【図３Ｄ】
2012513843.tif 000016
【図３Ｅ】
2012513843.tif 000017
【図３Ｆ】
2012513843.tif 000018
【図３Ｇ】
2012513843.tif 000019
【図４】
2012513843.tif 000020
【図５Ａ】
2012513843.tif 000021
【図５Ｂ】
2012513843.tif 000022
【図６】
2012513843.tif 000023
【図７】
2012513843.tif 000024
【国際調査報告】
2012513843.tif 000025
2012513843.tif 000026
2012513843.tif 000027